(57)【特許請求の範囲】
【請求項１】
呼出番号とメッセージとを含む呼出信号を無線受信する受信手段と、自己に割り当てられた呼出番号を記憶する呼出番号記憶手段と、受信手段により受信した呼出番号と呼出番号記憶手段に記憶された自己の呼出番号との一致を判定する比較手段と、受信した呼出番号と自己の呼出番号とが一致した場合に呼出があったことを報知する報知手段と、受信手段により受信したメッセージを記憶するメッセージ記憶手段と、受信手段により受信したメッセージを表示するメッセージ表示手段と、を有する無線呼出受信機において、
利用者が指定したキーワードを受け付けるキーワード入力手段と、
キーワード入力手段から受け付けたキーワードを記憶するキーワード記憶手段と、
複数種類のイラストを記憶するイラスト記憶手段と、
キーワード記憶手段に記憶されたキーワードとイラスト記憶手段に記憶されたイラストとの対応付けを利用者から受け付けるイラスト指定入力手段と、
受信手段により受信したメッセージ中にキーワード記憶手段に記憶されたキーワードが含まれているか否かを判定するキーワード検索手段と、
受信したメッセージ中にキーワード記憶手段に記憶されたキーワードが含まれている場合に当該メッセージをイラスト記憶手段に記憶されている対応するイラストに変換してメッセージ表示手段により表示させるメッセージ変換手段と、
を有することを特徴とする無線呼出受信機。
【請求項２】
請求項１に記載の無線呼出受信機において、
受信したメッセージ中にキーワード記憶手段に記憶されたキーワードが含まれている場合に報知手段による報知動作を禁止する報知禁止手段を有することを特徴とする無線呼出受信機。
【発明の詳細な説明】
【０００１】
【発明の属する技術分野】
本発明は、例えばページャ（ポケットベル）によって実施される無線呼出受信機に関し、特に、送信されるメッセージに基づいて呼出があったことを利用者に報知しない機能を備えた無線呼出受信機に関する。
【０００２】
【従来技術】
無線呼出受信機としてのページャは、呼出者がページャを携帯する利用者を遠隔地から呼び出すために広く用いられている。更に近年では、ページャは単純な呼出を報知するのみでなく、呼出者から呼出と共に送信されたメッセージを表示する形態で使用されることが主流になってきている。
このような呼出には種々な目的や内容があることから、従来より、特開平２−１２７８２６号公報に記載されるように、受信信号中に含まれる情報中に予め定められたキーワードが存在するか否かを検索し、キーワードが存在する場合と存在しない場合とで呼出通報の形態を相違させることにより、呼出通報のみにより即座に所定の呼出か否かを判別可能にした呼出受信機が提案されている。
【０００３】
【発明が解決しようとする課題】
ここで、呼出の目的や内容には、上記のように呼出者が本来の意図をもって呼出を行った場合のもの以外に、呼出者が相手を誤って呼出を行ってしなった場合や、呼出者が悪戯で呼出を行った場合があり、このような異常な呼出がなされた場合には、当該呼出によってページャ利用者が煩わされてしまう事態が生じている。
特に、悪戯による呼出の場合には、不快な内容のメッセージを含んだ呼出が幾度となく繰り返し行われたり、あたかも無言電話のように何のメッセージも含まない呼出が幾度となく繰り返し行われ、ページャ利用者の煩わしさはかなりなものになる事態が生じてしまう。
【０００４】
このような異常な呼出に対して、上記した従来の呼出受信機では、呼出報知の音量を小さくしたり或いはＬＥＤの発光で呼出報知をする等といったように、呼出通報の形態を相違させることは可能ではある。しかしながら、この呼出受信機にあっては、異常な呼出に対して必ず呼出報知動作が行われることにはかわりないため、利用者は、この報知動作を停止させたり更には受信したメッセージを確認するために、煩わしいスイッチ操作を無駄に行わなければならなかった。また、ページャ等の無線呼出受信機は内蔵されたバッテリで動作することから、利用者の煩わしさばかりではなく、無用な報知動作によってバッテリ電力が浪費されてしまうといった問題も引き起こしていた。
更に、悪戯による呼出の場合にあっては、確認動作を行ってメッセージを表示させると、当該メッセージ内容によって利用者が不快な気分になったり、更には、悪戯による呼出が多くなると、呼出されただけでも不快な気分になったりしてしまっていた。
【０００５】
本発明は上記従来の事情に鑑みなされたもので、送信されるメッセージに基づいて呼出があったことを利用者に報知しない機能を備えた無線呼出受信機を提供することを目的とする。
より具体的には、送信されるメッセージの内容に基づいて、利用者への呼出報知が禁止される無線呼出受信機を提供することを目的とする。また、呼出信号中のメッセージの有無に基づいて、利用者への呼出報知が禁止される無線呼出受信機を提供することを目的とする。
【０００６】
【課題を解決するための手段】
本発明は、呼出番号とメッセージとを含む呼出信号を受信手段によって無線受信して、この受信した呼出番号と呼出番号記憶手段に記憶されている自己に割り当てられた呼出番号との一致を比較手段によって判定し、受信した呼出番号と自己の呼出番号とが一致した場合に報知手段によって呼出があったことを報知する無線呼出受信機に適用される。
【０００７】
そして、キーワード入力手段から利用者が指定したキーワードを受け付けると、当該キーワードをキーワード記憶手段に記憶しておき、受信手段により呼出信号を受信した際に、キーワード検索手段が当該呼出信号に含まれているメッセージ中にキーワード記憶手段に記憶されたキーワードが含まれているか否かを判定し、受信したメッセージ中にキーワード記憶手段に記憶されたキーワードが含まれている場合には、当該呼出信号を受信したことについての報知手段による報知動作を報知禁止手段が禁止する無線呼出受信機。
したがって、利用者があるキーワードを含むメッセージを受信しても報知手段による鳴動等の報知動作がなされなくなり、悪戯等のメッセージの受信によって利用者が煩わされる事態が防止され、更には、無駄な報知動作によるバッテリ電力の浪費が防止される。
【０００８】
また、本発明は、上記の機能に加えて、受信手段により受信したメッセージを記憶するメッセージ記憶手段と、受信手段により受信したメッセージを表示するメッセージ表示手段と、を有する無線呼出受信機にも適用され、受信したメッセージ中にキーワード記憶手段に記憶されたキーワードが含まれている場合には、メッセージ変換手段が当該メッセージを他の内容に変換してメッセージ表示手段により表示させる。
したがって、上記のように悪戯等のメッセージを受信しても、報知動作によって利用者が煩わされる事態が防止され、更には、無駄な報知動作によるバッテリ電力の浪費が防止されるとともに、当該メッセージをメッセージ表示手段により表示させたとしても、当該メッセージは他の内容に置き換えられて表示されるため、利用者が不快な気分になることが防止される。
【０００９】
更に、本発明は、上記の機能に加えて、イラストを記憶するイラスト記憶手段を有する無線呼出受信機にも適用され、前記メッセージ変換手段は前記登録されたキーワードが含まれているメッセージをイラスト記憶手段に記憶されているイラストに変換してメッセージ表示手段に表示させる。
更に、本発明は、上記の機能に加えて、複数種類のイラストを記憶するイラスト記憶手段と、前記登録されたキーワードとイラスト記憶手段に記憶されたイラストとの対応付けを利用者から受け付けるイラスト指定入力手段と、有する無線呼出受信機にも適用され、前記メッセージ変換手段は前記登録されたキーワードが含まれているメッセージを利用者が指定したイラストに変換してメッセージ表示手段に表示させて、イラストによる分類を可能にする。
【００１０】
更に、本発明は、上記の機能に加えて、前記登録されたキーワードを含む受信メッセージと前記メッセージ記憶手段に既に記憶されているメッセージとの一致をメッセージ比較手段によって判定し、登録されたキーワードを含む受信メッセージとメッセージ記憶手段に既に記憶されているメッセージとが一致する場合には、メッセージ書込手段が当該受信メッセージを既に記憶されているメッセージに上書きしてメッセージ記憶手段に記憶させて、悪戯等のメッセージの重複記憶による記憶容量の浪費を防止する。
更に、本発明は、上記の機能に加えて、前記登録されたキーワードを含むメッセージを受信した場合には、メッセージ廃棄手段が当該受信メッセージをメッセージ記憶手段に記憶させることなく廃棄して、悪戯等のメッセージの重複記憶による記憶容量の浪費を防止する。
【００１１】
また、本発明は、呼出番号とメッセージとを含む呼出信号を受信手段によって無線受信して、この受信した呼出番号と呼出番号記憶手段に記憶されている自己に割り当てられた呼出番号との一致を比較手段によって判定し、受信した呼出番号と自己の呼出番号とが一致した場合に報知手段によって呼出があったことを報知する無線呼出受信機に適用されて、受信した呼出信号中にメッセージが含まれているか否かをメッセージ判定手段によって判定し、メッセージが含まれていない場合には、報知禁止手段が報知手段による報知動作を禁止する。
したがって、メッセージを何ら含まずに呼出だけを行うような悪戯呼出信号を受信しても報知手段による鳴動等の報知動作がなされなくなり、悪戯呼出によって利用者が煩わされる事態が防止され、更には、無駄な報知動作によるバッテリ電力の浪費が防止される。
【００１２】
【発明の実施の形態】
本発明を、無線呼出受信機としてページャを用いた無線選択呼出通信システムの一実施例形態を用いて詳しく説明する。
本例の無線選択呼出通信システムは、図１に示すように、電話機１Ａ、１Ｂ、・・・、１Ｎと、電話網２と、中央局３と、基地局４Ａ、４Ｂ、・・・、４Ｎと、ページャ５Ａ、５Ｂ、・・・、５Ｎとで構成されている。
このシステム構成において、電話機１Ａ〜１Ｎあるいは別の入力装置（図示せず、例えば携帯電話、パーソナルコンピュータ等）からの呼出が電話網２を介して中央局３に送信される。
【００１３】
中央局３は、上記した呼出の送信相手の呼出番号及びメッセージを無線通信システムに適したプロトコルに変換して、呼出番号及びメッセージを含む呼出信号を複数の基地局４Ａ〜４Ｎへ送信する。なお、無線通信システムに適したプロトコルとしては、例えば、ＰＯＣＳＡＧ（Post Office Code Standardization Advisory Group）、ＮＴＴ方式、ＲＣＲ  ＳＴＤ−４３Ａに規定されているＦＬＥＸ−ＴＤ  ＲＡＤＩＯ  ＰＡＧＩＮＧ  ＳＹＳＴＥＭ（以下ＦＬＥＸ−ＴＤとする）等のプロトコルがあるが本発明は他の形式も利用することができる。
【００１４】
基地局４Ａ〜４Ｎは上記のように変換されたデータを予め決められたデータ伝送速度（例えばＦＬＥＸ−ＴＤでは、１６００ｂｐｓ（ビット毎秒）、３２００ｂｐｓあるいは６４００ｂｐｓ）の無線信号で呼出信号として送信し、ページャ５Ａ〜５Ｎはこの呼出信号を受信して、この呼出信号中に自己に割り当てられた呼出番号と一致する信号を検出した時に、呼出報知及び受信したメッセージ内容の表示を行う。
【００１５】
図２には、本例に用いられるページャ（表示機能付きの無線呼出受信機）５Ａ〜５Ｎの１つについて、その構成を示してある。
本例の各ページャは、無線呼出信号を受信するアンテナ５０と、基地局４Ａ〜４Ｎから送信された無線呼出信号をアンテナ５０を介して受信する受信部５１と、受信した呼出信号を復号するデコーダ部５２と、予め割り当てられた自己の呼出番号及び受信すべきフレームの番号を記憶するＩＤ−ＲＯＭ（読出自在なメモリ）５３と、各機能部を制御するための各種プログラムが格納されているＲＯＭ（読出自在なメモリ）５４と、受信したメッセージを格納するための（読出書込自在なメモリ）ＲＡＭ５５と、制御部６２からの入力信号に基づいて表示部５７を駆動する表示駆動回路５６と、メッセージ等を表示するＬＣＤ表示部５７と、呼出があったことを発光により報知するためのＬＥＤ５８と、呼出があったことを発音により報知するためのスピーカ等の鳴音部５９と、呼出があったことを振動により報知するためのバイブレータ等の振動部６０と、メッセージの読出しや報知動作の停止操作、後述する機能の選択操作やキーワードの入力操作等を利用者か行うための操作部６１と、を有している。
【００１６】
ここで、本例の通信システムは、メッセージ等のデータを複数のフレームで重複して送信するダイバーシチ的な形式としていることから、ＩＤ−ＲＯＭ５３には受信すべきフレームの番号が記憶されて、当該フレームの番号に基づいて各ページャ５Ａ〜５Ｎは自己に該当するフレームを受信処理する。なお、本発明はこのような形式の通信システムに限らず、他のの種々な形式の通信システムにおいても実現できることは勿論である。
【００１７】
また、このページャには上記の各機能部５１〜６１を統括制御する制御部６２を有しており、また、この制御部６２は、受信した呼出信号に含まれている呼出番号とＩＤ−ＲＯＭ５３に記憶されている自己の呼出番号との比較を行うＩＤ比較手段６３と、自己の呼出番号と一致した場合に受信した呼出信号から呼出番号に続くメッセージを抽出するメッセージ抽出手段６４と、ＲＡＭ５５に対するメッセージやキーワード等といったデータの書込やＲＡＭ５５からこれらデータを読み出して所定の処理を行うメモリ管理手段６５と、後述するキーワードの一致やメッセージの不存在の場合に報知手段５８〜６０による報知動作を行わせない報知禁止手段６６と、を有している。
【００１８】
更に、このメモリ管理手段６５は、メッセージ抽出手段６４によって呼出信号から抽出されたメッセージ中に後述するＲＡＭ５５に格納されたキーワードが存在しているか否かを判定するキーワード検索手段６７と、ＲＡＭ５５に格納されたメッセージを表示部５７に表示する際に当該メッセージの内容を後述するように対応するイラストに変換して表示させるメッセージ変換手段６８と、を有している。
なお、本例では、上記した各機能部はＣＰＵやメモリ等のハードウエア資源を用いて所定のプログラムを実行することにより構成されているが、それぞれハードウエア回路として構成してもよい。また、本例のページャでは、受信したメッセージはＲＡＭ５５に格納しておき、利用者による操作部６１からの表示指示にによってＲＡＭ５５からメッセージを読み出して表示部５７に表示するようにしているが、メッセージの表示はメッセージを受信したときに行うようにしてもよく、この場合には、メッセージ変換手段６８によるメッセージの変換処理は当該表示時に行う。
【００１９】
更に、上記ＲＡＭ５５には、受信したメッセージを保存するメッセージ格納エリア７０と、受信した呼出信号についての読出報知動作を禁止するキーワードを格納するためのキーワード格納エリア７１と、キーワードが含められているメッセージを表示する際に表示変換されるイラストを格納するイラスト格納エリア７２と、が設けられている。
【００２０】
図３には、メッセージ格納エリア７０の一構成例を示してあり、このメッセージ格納エリア７０は、メッセージ番号７０ａに対応付けて、受信したメッセージの内容７０ｂと、その受信時刻７０ｃとを複数組順次格納する。なお、メッセージ表示の際には、メモリ管理手段６５がメッセージ番号が新しい順（すなわち、受信時刻が新しい順）に、メッセージ内容とその受信時刻を読み出して、表示部５７に順次表示する。
【００２１】
図４には、キーワード格納エリア７１の一構成例を示してあり、このキーワード格納エリア７１は、キーワード番号７１ａに対応付けて、利用者から入力されたキーワードの内容（文字列）７１ｂと、当該キーワードを含みメッセージに対応付けられたイラストの内容７１ｃとを複数組順次格納する。なお、上記のメモリ管理手段６５によるメッセージ表示の際には、キーワード検索手段６７が表示しようとするメッセージ中にキーワード格納エリア７１に記憶されているキーワードが含まれるか否かを判定し、キーワードが含まれている場合には、メッセージ変換手段６８が当該メッセージの内容を当該キーワードに対応付けられているイラストに変換して表示させる。
【００２２】
図５には、イラスト格納エリア７２の一構成例を示してあり、このイラスト格納エリア７２は、イラスト番号７２ａに対応付けて、予め登録されたイラストの内容（キャラクタ等）７２ｂを複数組格納する。なお、利用者が操作部６１からキーワードを登録する際に、当該キーワードに対応付けるイラストが利用者によって指定されると、メモリ管理手段６５が、指定されたイラストの内容をイラスト格納エリア７２から読み出して対応するキーワード格納エリア７１ｃに複写格納する。
【００２３】
ここで、上記したメッセージとキーワードとの対応付け、更には、キーワードとイラストとの対応付けは、各データ間をポインタで対応付けることにより実現してもよく、このようにすればデータ間の対応付けに要する処理を迅速にできるとともに処理に要するメモリ容量の削減することができる。
また、本例では、イラスト格納エリア７２に複数種類用意されたイラストを利用者が選択してキーワードに対応付ける様にしているが、登録されたキーワードを含むメッセージの表示に際しては、メッセージ変換手段６８が当該メッセージの内容を自動的に或る種類のイラストに変換するようにしてもよい。なお、本発明の要旨からして、本明細書においては、イラストの意味は置き換えのためのデータを意味しており、このイラストはキャラクタ以外にも、「イタズラ」等といった文字列データであってもよい。
【００２４】
また、本例では、メッセージの表示時にもメッセージに登録されたキーワードが含まれているかを判定しているが、本発明では、呼出信号の受信時に行われる一致判定の結果に基づいて、その時点（すなわち、メッセージ格納時）に、メッセージとキーワードとの対応付けを行い、メッセージ表示時には判定処理を行わずに、その対応付けに基づいて変換表示を行うようにしてもよい。
【００２５】
次に、上記構成のページャによるキーワードの登録処理の動作を、図６に示す処理手順の一例を参照して説明する。
まず、ページャの電源が利用者によってオンされて（ステップＳ１）、利用者が操作部６１により機能の選択を行うと（ステップＳ２）、制御部６２がキーワード登録モードが選択されたか否かを判断する（ステップＳ３）。この結果、キーワード登録モード以外が選択された場合には、それぞれ選択された機能処理を実行して処理を終了し（ステップＳ４）、呼出信号の受信待ち受け状態となる。
【００２６】
一方、キーワード登録モードが選択された場合には、利用者によって操作部６１から入力される呼出報知動作を禁止するためのキーワードを受け付け（ステップＳ５）、操作部６１からの登録指示によってキーワードとなる文字列の入力が終了したと判定したところで（ステップＳ６）、この入力されたキーワードをメモリ管理手段６５がキーワード格納エリア７１に登録格納する（ステップＳ７）。なお、操作部６１によるキーワードの入力操作に際しては、表示部５７に文字表示がなされ、利用者はこれを見ながらキーワードの入力を行う。
【００２７】
そして、登録キーワードが含まれているメッセージ内容の代わりにイラストを表示したいときには、利用者による操作部６１の操作でイラストの選択が行われ（ステップＳ８）、この選択されたイラストをメモリ管理手段６５がイラスト格納エリア７２から読出して、キーワード格納エリア７１ｃに当該入力されたキーワードと対応付けて格納する（ステップＳ９）。なお、この操作部６１によるイラストの選択操作に際しては、イラスト格納エリア７２に記憶されているイラストが順次読出されて表示部５７に表示され、利用者はこれを見ながらイラストの選択を行う。
【００２８】
次に、上記構成のページャによるメッセージ信号の受信からメッセージ格納までの処理動作を、図７と図８とにそれぞれに示す処理手順の一例を参照して説明する。なお、これらの処理におけるメッセージ信号の受信処理は共通するため、同一な処理には同一符号を付して重複する説明は省略する。
なお、本発明においては、これらの処理の内のいずれを採用してもよい。
【００２９】
図７に示す処理では、受信したメッセージに登録されたキーワードが含まれている場合に、当該受信メッセージをメッセージ格納エリア７０に上書きして格納する。この処理では、待ち受け状態（ステップＳ１０）において、受信部５１がＩＤ−ＲＯＭ５３に記憶されている自己の呼出番号が含まれるフレームを受信すると（ステップＳ１１）、受信したフレームの呼出番号とＩＤ−ＲＯＭ５３に記憶されている自己の呼出番号との一致をＩＤ比較手段６３が判定する（ステップＳ１２）。
この結果、一致する呼出番号が存在しない場合には、待ち受け状態（ステップＳ１０）へ移行し、一致する呼出番号が存在する場合には、受信した呼出信号にこの呼出番号に続くメッセージが存在するか否かの判断がメッセージ抽出手段６４によって行われる（ステップＳ１３）。
【００３０】
そして、メッセージが存在しない場合には、呼出があったことをＬＥＤ５８、鳴音部５９、振動部６０のいずれか一つ或いは組み合わせにより報知動作を行って（ステップＳ１６）、待ち受け状態へ移行する。一方、メッセージが存在する場合には、ＲＡＭ５５のキーワード格納エリア７１に利用者によって何らかのキーワードが登録されているか否かをキーワード検索手段６７が判定し（ステップＳ１４）、登録キーワードが存在しない場合には、受信メッセージをＲＡＭ５５のメッセージ記憶エリア７０に格納して（ステップＳ１５）、呼出の報知動作を行い（ステップＳ１６）、待ち受け状態へ移行する。
【００３１】
一方、登録キーワードが存在する場合には、受信メッセージ中に登録キーワードが含まれているか否かをキーワード検索手段６７が判定し（ステップＳ１７）、登録キーワードが含まれていない場合には、受信メッセージをＲＡＭ５５のメッセージ記憶エリア７０に格納して（ステップＳ１５）、呼出の報知動作を行い（ステップＳ１６）、待ち受け状態へ移行する。
これに対して、登録キーワードが含まれている場合には、この受信メッセージと同一のメッセージがＲＡＭ５５のメッセージ格納エリア７０に既に格納されているか否かをメモリ管理手段６５が判定し（ステップＳ１８）、同一のメッセージが存在しない場合は、メモリ管理手段６５が受信メッセージをメッセージ記憶エリア７０に格納し（ステップＳ１９）、報知禁止手段６６が報知手段５８〜６０の動作を阻止して、呼出の報知動作を行うことなく待ち受け状態へ移行する。
【００３２】
一方、同一メッセージが既に存在する場合には、この受信メッセージをメモリ管理手段６５が同一なメッセージが格納されているメッセージ番号のエリアに上書きして格納し（ステップＳ２０）、報知禁止手段６６が報知手段５８〜６０の動作を阻止して、呼出の報知動作を行うことなく待ち受け状態へ移行する。
このような受信格納処理により、悪戯による呼出報知を防止するとともに、メッセージの重複格納を回避するため、記憶容量の有効利用を図ることができる。
【００３３】
図８に示す処理では、受信したメッセージに登録されたキーワードが含まれている場合に、当該受信メッセージをメッセージ格納エリア７０に格納することなく廃棄する。この処理では、ステップＳ１０〜ステップＳ１７の動作は上記と同一であり、受信メッセージ中にキーワード格納エリア７１に登録されているキーワードが含まれている場合には（ステップＳ１７）、受信したメッセージをＲＡＭ５５のメッセージ格納エリア７０に格納せずにメッセージ抽出手段（廃棄手段）６４が廃棄して、待ち受け状態へ移行する。
このような受信格納処理により、悪戯による呼出報知を防止するとともに、メッセージの無用な格納を回避するため、記憶容量の有効利用を図ることができる。
なお、本例では、登録キーワードを含むメッセージに対して、既に同一メッセージが格納されているときには上書格納を行い、或いは、破棄を行っているが、登録キーワードを含まない通常のメッセージに対しても同様な処理を行うことも可能である。
【００３４】
次に、上記構成のページャによる格納されているメッセージの読出処理動作を、図９に示す処理手順の一例を参照して説明する。
この処理では、利用者によって操作部６１の読出ＳＷ（図示せず）が操作されると（ステップＳ３０）、メッセージ格納エリア７０の読み出し対象として指定されたメッセージにキーワード格納エリア７１に登録されているキーワードが存在しているか否かをキーワード検索手段６７が判定し（ステップＳ３１）、登録キーワードが存在しない場合には、メモリ管理部６５が当該メッセージ内容を格納エリア７０から読み出して、表示部５７にそのメッセージ内容を表示させる（ステップＳ３２）。
【００３５】
一方、登録キーワードが存在する場合には、メモリ管理部６５が格納エリア７０から読み出したメッセージ内容を、メッセージ変換手段６８が当該登録キーワードに対応付けられているイラストに変換し（ステップＳ３３）、この変換したイラスト（キャラクタ等）を表示部５７に表示させる（ステップＳ３４）。
そして、このイラスト或いはメッセージの表示中に操作部６１の選択ＳＷが押下されると（ステップＳ３５）、メッセージ記憶エリア７０に次に表示対象となるメッセージが存在するか否かをメモリ管理手段６５が判断し（ステップＳ３６）、次に表示すべきメッセージが存在する場合には、ステップＳ５０１へ移行し、表示すべきメッセージが存在しない場合には、メッセージ読出し処理を終了する。
【００３６】
このように、メッセージ中に登録キーワードが存在する場合には、イラストに変換して表示されるため、利用者がメッセージ表示画面を見たときに感じる不快感を軽減することができる。
ここで、本例では、メッセージ表示の際に、登録キーワードが含まれるメッセージをイラストに変換して表示しているが、メッセージ記憶の際に登録キーワードが含まれるメッセージをイラストに変換してメッセージ記憶エリア７０に記憶して、メッセージの読出表示の際には変換処理を省略するようにしてもよい。
【００３７】
図１０には、受信した呼出信号にメッセージが何ら含まれない場合には、呼出報知を行わない処理手順の一例を示してある。
この処理は図２に示した構成のページャによって実施されるが、メッセージ抽出手段６４と報知禁止手段６６との連携に変更を加えており、メッセージ抽出手段６４が受信した呼出信号にメッセージが存在しないと判定したときには（ステップＳ１３）、報知禁止手段６６がＬＥＤ５８、鳴音部５９、振動部６０による報知動作を行わせずに、待ち受け状態へ移行する。なお、他の処理は図７に示した処理を同一であるので、同一符号を付して説明は省略する。
【００３８】
このように、登録キーワードの有無に係わらず、受信した呼出信号中にメッセージが存在しない場合には、呼出報知が行われないため、利用者は確認の必要がない呼出によって煩わされることがなくなる。
なお、このような処理は図８に示した処理において同様に適用することができることは勿論であるが、登録キーワードの有無に基づく呼出報知処理を併用せずに、無線呼出受信機において単独で実施してもよく、これによっても上記のような作用効果を得ることができる。
【００３９】
【発明の効果】
以上説明したように、本発明によれば、不快に感じる言葉等のキーワードを利用者がメモリに予め登録しておくことにより、この登録キーワードを含むメッセージを受信しても呼出動作が行わないため、悪戯等による呼出報知によって利用者が煩わされる事態を防止することができ、更には、限りある電力やメッセージ記憶容量の浪費を防止することができる。
また、登録キーワードを含むメッセージを表示する際には、予め登録しておいたイラストに変換して表示するため、利用者の不快感を軽減することができる。
【図面の簡単な説明】
【図１】  本発明の一実施形態に係るページャを用いた無線選択呼出通信システムの構成図である。
【図２】  本発明の一実施形態に係るページャの構成図である。
【図３】  メッセージ格納エリア構造の一例を示す図である。
【図４】  キーワード格納エリア構造の一例を示す図である。
【図５】  イラスト格納エリア構造の一例を示す図である。
【図６】  キーワード登録処理手順の一例を示すフローチャートである。
【図７】  メッセージ受信格納処理手順の一例を示すフローチャートである。
【図８】  メッセージ受信格納処理手順の他の一例を示すフローチャートである。
【図９】  メッセージ読出処理手順の一例を示すフローチャートである。
【図１０】  メッセージ受信格納処理手順の更に他の一例を示すフローチャートである。
【符号の説明】
５Ａ〜５Ｎ・・・ページャ（無線呼出受信機）、  ５１・・・受信部、
５２・・・デコーダ部、  ５３・・・ＩＤ−ＲＯＭ、  ５５・・・ＲＡＭ、
５７・・・表示部、  ５８・・・ＬＥＤ、  ５９・・・鳴音部、
６０・・・振動部、  ６１・・・操作部、  ６２・・・制御部、
６３・・・ＩＤ比較手段、  ６４・・・メッセージ抽出手段、
６５・・・メモリ管理手段、  ６６・・・報知禁止手段、
６７・・・キーワード検索手段、  ６８・・・メッセージ変換手段、
７０・・・メッセージ格納エリア、  ７１・・・キーワード格納エリア、
７２・・・イラスト格納エリア、
【図１】
0004127423.tif 000002
【図３】
0004127423.tif 000003
【図２】
0004127423.tif 000004
【図４】
0004127423.tif 000005
【図５】
0004127423.tif 000006
【図６】
0004127423.tif 000007
【図７】
0004127423.tif 000008
【図８】
0004127423.tif 000009
【図９】
0004127423.tif 000010
【図１０】
0004127423.tif 000011